(57)【要約】【課題】柔軟なシート状をした表示部を備え、当該表示部から、難聴者が補聴器をつけることなく健聴者と共に聞き取ることができる音声を発生させる表示装置を提供する。【解決手段】表示装置１０は、入力された第一の電気信号に応じて画像を表示することが可能な柔軟なシート状をした表示部１を備える。また、表示装置は、入力された第二の電気信号に応じて駆動するドライバユニット２を備える。表示部は、湾曲する曲面領域を有し、ドライバユニットは、この表示部において湾曲する方向の一端側１ａ端面に当接して取り付けられる。そして、駆動するドライバユニットの振動を端面から表示部へ伝達することで、表示部から音声を発生させることが出来る。【選択図】図１
2020053824.tif 000002
【特許請求の範囲】
【請求項１】
湾曲する曲面領域を有し、入力された第一の電気信号に応じて画像を表示することが可能な柔軟なシート状をした表示部と、
前記表示部において湾曲する方向の一端側端面に当接して取り付けられ、入力された第二の電気信号に応じて駆動して前記表示部に振動を伝達するドライバユニットと、
を少なくとも備え、
前記表示部は、前記ドライバユニットから伝達された振動によって音声を発生させてなることを特徴とする表示装置。
【請求項２】
前記表示部は、前記ドライバユニットが取り付けられている一端側から、対向する他端側へ向かって全体的に弧状に湾曲していることを特徴とする請求項１に記載の表示装置。
【請求項３】
前記表示部は、前記ドライバユニットが取り付けられている一端側と、対向する他端側とにそれぞれ曲面領域を有し、当該湾曲領域の間は平坦であることを特徴とする請求項１に記載の表示装置。
【請求項４】
前記表示部は、自発光ディスプレイであることを特徴とする請求項１乃至３の何れか１項に記載の表示装置。
【請求項５】
前記自発光ディスプレイは、有機ＥＬディスプレイであることを特徴とする請求項４に記載の表示装置。
【請求項６】
前記表示部は、凹面側に画像を表示する画面を備えていることを特徴とする請求項１乃至５の何れか１項に記載の表示装置。
【請求項７】
前記ドライバユニットは、前記表示部の他端側端面にも取り付けられていることを特徴とする請求項１乃至６の何れか１項に記載の表示装置。
【請求項８】
前記ドライバユニットは、前記表示部の端面に対して複数取り付けられていることを特徴とする請求項１乃至７の何れか１項に記載の表示装置。
【発明の詳細な説明】
【技術分野】
【０００１】
本発明は、柔軟なシート状をした表示部を備える表示装置に係り、詳しくは、表示部において画像を表示すると共に、当該表示部から音声を発生させるようにした表示装置に関する。
【背景技術】
【０００２】
近年、入力された電気信号に応じて画像を表示することが可能な柔軟なシート状をした表示部（以下、「フレキシブルディスプレイ」という。）を備える表示装置が提案されている。
【０００３】
このような表示装置において音声を発生させる手段としては、フレキシブルディスプレイの背面側に振動を発生させるアクチュエータを取り付け、フレキシブルディスプレイを前後に振動させることによって音声を発生させてなる構造が一般的に知られている（たとえば、特許文献１乃至３を参照）。
すなわち、上述した従来の手段は、フレキシブルディスプレイを平面振動板として用いるものであり、このフレキシブルディスプレイに伝達された振動によって広い面積で空気を前後に押して疎密波を作り出し、放音するものである。
【０００４】
ところで、近年、加齢が原因とする老人性難聴や、外耳や中耳、内耳、蝸牛神経等に障害を有する器質性難聴、ストレスを要因とした機能性難聴、といった聴覚障害者が増えてきており、国内の難聴者の数は２，０００万人ともいわれている。このような難聴者は、疎密波をとらえて音として認識することに支障があり、フレキシブルディスプレイで発生した音声を健聴者と同様に聞き取ることが出来ない。
【０００５】
また、難聴の場合、音が聞こえなくなるだけでなく、聞こえた音であっても鮮明に聞き分けることが難しくなり、会話の内容がよくわかっていないのに返事をしてしまって相手に誤解を与えたり、途中で何度も聞き返すことで会話が弾まなくなってしまったりすることがある。
そのため、難聴が原因でスムーズなコミュニケーションができなくなり、知らず知らずのうちに話をするのが億劫になって人と会う機会が減ったり、外出しないで家に引きこもりがちになったりという現象が起き、社会からの孤立・疎外という問題が起きるおそれがあると言われている。
【０００６】
このような難聴の不便さを軽減する手段として、一般的に補聴器の使用がある。しかしながら、補聴器は「わずらわしい」「装着が恥ずかしい」といった理由であまり好んで使われておらず、仕方なく使っている場合が多い。また、補聴器には雑音も拾ってしまうものも少なくなく、却ってストレスが大きいものとなってしまう場合がある。
【０００７】
また、難聴の不便さを軽減する手段として、テレビを視聴する場合には、テレビのイヤホンジャックに接続して音声をＦＭ電波で飛ばし、これを手持ちのＦＭラジオで受信してテレビの音声を取得するＦＭトランスミッタがある。ところが、ＦＭトランスミッタを用いる場合、テレビを視聴するたびにＦＭトランスミッタを準備し、設置しなければならないといった煩わしさがある。また、ＦＭトランスミッタをイヤホンジャックに接続することで音声の出力先が切り替り、難聴者と健聴者とが共に不自由なくテレビを視聴することができないという問題がある。
【０００８】
そこで、全てではないが難聴者が聞き取ることができる音声を発生するスピーカとして、湾曲する曲面部を形成する振動板（以下、「湾曲振動板」という。）の一端側に振動を発生させるドライバユニットを取り付け、ドライバユニットの振動を湾曲振動板の端縁（面）部へ伝えて放音するようにしたスピーカが出願人によって提案されている（たとえば、特許文献４を参照）。
【０００９】
このような湾曲振動板を用いたスピーカは、難聴者が補聴器をつけることなく聞き取ることができると共に、健聴者も違和感なく聞き取ることができるものである。
しかも、特許文献４に記載された発明に係るスピーカは、その後の実証実験において、近くは勿論のこと、遠くでも明瞭に聞き取れることが確認できている。すなわち、音量を上げ過ぎたときのような音割れがなく、かつ、近くでもうるさ過ぎることなく聞き取ることがきるものとなっている。
【先行技術文献】
【特許文献】
【００１０】
【特許文献１】特開２０１４−２３２３２３号公報
【特許文献２】特開２０１７−１８８６４３号公報
【特許文献３】特開２０１８−９３４６９号公報
【特許文献４】特許第５６６８２３３号公報
【発明の概要】
【発明が解決しようとする課題】
【００１１】
本発明は、上記事情に鑑みて成されたものであり、フレキシブルディスプレイを備える表示装置において、画像を表示すると共に、難聴者が補聴器をつけることなく健聴者と共に聞き取ることができる音声を発生させる表示装置を提供するものである。
【課題を解決するための手段】
【００１２】
本発明に係る表示装置は、湾曲する曲面領域を有し、入力された第一の電気信号に応じて画像を表示することが可能な柔軟なシート状をした表示部と、当該表示部において湾曲する方向の一端側端面に当接して取り付けられ、入力された第二の電気信号に応じて駆動して表示部に振動を伝達するドライバユニットとを少なくとも備え、表示部は、ドライバユニットから伝達された振動によって音声を発生させてなることを特徴とする。
【００１３】
本発明に係る表示装置において、表示部は、ドライバユニットが取り付けられている一端側から、対向する他端側へ向かって全体的に弧状に湾曲している形状のものや、ドライバユニットが取り付けられている一端側と、対向する他端側とにそれぞれ曲面領域を有し、当該湾曲領域の間は平坦である形状のものとすることが出来る。
【００１４】
また、本発明に係る表示装置において、表示部は、自発光ディスプレイが望ましく、たとえば、有機ＥＬディスプレイとすることが出来る。
また、本発明に係る表示装置において、表示部は、凹面側に画像を表示する画面を備えているものとすることが望ましい。
【００１５】
さらに、本発明に係る表示装置において、ドライバユニットは、表示部の他端側端面にも取り付けられているものとしたり、表示部の端面に対して複数取り付けられているものとしたりすることが出来る。
【発明の効果】
【００１６】
本発明に係る表示装置は、湾曲する曲面領域を有し、入力された第一の電気信号に応じて画像を表示することが可能な柔軟なシート状をした表示部の端面に、入力された第二の電気信号に応じて駆動するドライバユニットを取り付け、ドライバユニットの駆動に応じて発生する振動を表示部に伝達するものとなっている。ゆえに、第二の電気信号の電気エネルギーから変換された運動エネルギーの振動が、柔軟なシート状をした表示部に伝達されることで固体変形により剪断波を発生し、難聴者と健聴者の双方が不自由なく共に聞き取ることが可能な音声を発生させることができるものとなっている。
【００１７】
しかも、本発明に係る表示装置は、健聴者と難聴者が同じ音声を同時に聞くような場合においても、健聴者にうるささを感じさせないで難聴者が聞き易いものとすることができるものとなっている。
【図面の簡単な説明】
【００１８】
【図１】本発明に係る表示装置を示す正面図である。
【図２】本発明に係る表示装置を示す平面図である。
【図３】本発明に係る表示装置を構成する表示部とドライバユニットとを接合する振動伝達ジョイントを示す正面図である。
【図４】振動伝達ジョイントを構成する表示部ジョイント（保持手段）を示す正面図である。
【図５】振動伝達ジョイントを構成するＶＣジョイント（被着手段）を示す平面図である。
【図６】振動伝達ジョイントを構成するジョイントクサビ（係止手段）を示す側面図である。
【図７】振動伝達ジョイントの組み立てにおいて、表示部ジョイントをＶＣジョイントへ取り付ける状態を説明する正面模式図である。
【図８】振動伝達ジョイントの組み立てにおいて、表示部ジョイントへジョイントクサビを取り付ける状態を説明する正面模式図である。
【図９】表示部へ取り付けた振動伝達ジョイントの組み立て状態を説明する（Ａ）右側面模式図、（Ｂ）平面模式図である。
【図１０】表示部ジョイントとＶＣジョイントの関係を説明する、（Ａ）好ましい開口部に表示部ジョイントを挿入した状態を示す横断面模式図、（Ｂ）好ましくない開口部に表示部ジョイントを挿入した状態を示す横断面模式図である。
【図１１】表示部ジョイントとＶＣジョイントの関係を説明する、（Ａ）表示部ジョイントの正面図、（Ｂ）ＶＣジョイントの側面図である。
【図１２】振動伝達ジョイントを構成するジョイントクサビの他の構造を説明する側面図である。
【図１３】振動伝達ジョイントを構成する表示部ジョイントの他の構造を説明する正面図である。
【図１４】振動伝達ジョイントを構成する、（Ａ）表示部ジョイントの他の構造を説明する正面図、（Ｂ）ジョイントクサビの他の構造を説明する側面図である。
【図１５】振動伝達ジョイントを構成する表示部ジョイントの他の構造を説明する、（Ａ）折返し部が有るタイプの側面図、（Ｂ）折返し部が無いタイプの側面図である。
【図１６】振動伝達ジョイントを構成するＶＣジョイントの他の構造を説明する平面図である。
【図１７】本発明に係る他の表示装置を示す平面図である。
【図１８】本発明に係る他の表示装置を示す正面図である。
【図１９】本発明に係る他の表示装置を示す平面図である。
【発明を実施するための形態】
【００１９】
次に、本発明の実施の形態の一例を説明する。
なお、以下に述べる実施の形態は、本発明の好適な具体例であるため技術的に種々の限定が付されているが、本発明の範囲は、以下の説明において特に限定する旨の記載がない限り、これらの形態に限られるものではない。
【００２０】
図１に示すように、本実施の形態の表示装置１０は、難聴者と健聴者とが共に聞き取ることができるものであり、表示部１と、当該表示部１の端面に当接して取り付けられるドライバユニット２と、を少なくとも備えることにより構成されている。
【００２１】
表示部１は、入力された第一の電気信号（映像信号）に応じて画像を表示する画面を一面側に備える、いわゆるディスプレイであって、湾曲することが可能な柔軟なシート状をし、曲面領域（曲面部）αを有する。
本実施の形態において表示部１は、たとえば、図２に示すように、平面視してドライバユニット２が取り付けられている一端側１ａから対向する他端側１ｂへ向かって全体的に弧状に湾曲する曲面領域αを有する形状のものとすることが出来る。
【００２２】
このような表示部１としては、たとえば、有機ＥＬ素子がマトリックス状に多数配列してなる有機ＥＬディスプレイ（Organic Electro-Luminescence Display又はOrganic Light Emitting Diode Display）等の自発光ディスプレイを挙げることが出来る。以下、有機ＥＬディスプレイを一例として、表示部１を説明する。
【００２３】
表示部１は、画素表示層（有機ＥＬ素子）を備える。画素表示層は、可撓性を有する透明基板上に、透明電極（陽極）層、有機ＥＬ層、カソード電極（陰極）層を順次成膜することにより構成されており、これら各層がガスバリア層で覆われ、水分や腐食性ガス等から保護されたものとなっている。
【００２４】
透明基板は、極薄板ガラスが主で、樹脂製基板としては、たとえば、ポリカーボネートやポリエチレンテレフタレート（ＰＥＴ）等の透明プラスチック材料等からなり、良好な可撓性を有する。ガラス基板の場合は、割れ防止主目的用の保護樹脂シートがラミネートされ、樹脂製基盤の場合は、前記の如く、種々の方法にてガスバリア層が設けられている。ガラス基板性は極めて薄いため、比較的容易に所望の湾曲度を得ることが可能である。
透明電極層は、透明基板の上に成膜された透明導電膜であり、たとえば、酸化インジウムスズ（ＩＴＯ：Indium Tin Oxide）をスパッタ蒸着法で成膜することにより薄膜に形成されたものとすることが出来る。
カソード電極層は、たとえば、アルミニウムや銀・マグネシウム合金等、光を反射する金属薄膜によって形成されたものとすることが出来る。
【００２５】
有機ＥＬ層は、透明電極層と接する側に配される正孔輸送層、有機発光層、及びカソード電極と接する側に配される電子輸送層とから構成された三層構造となっている。
この有機ＥＬ層においては、透明電極層及びカソード電極層への通電により、それぞれの電極から注入された正孔及び電子が有機発光層内で再結合し、このときのエネルギーにより発光現象を生ずる。
【００２６】
このように表示部１は、透明基板上にマトリックス状に多数配列された有機ＥＬ素子によりＲＢＧ各画素が形成されており、所定の有機ＥＬ素子の電極に電圧が印加されることによって所定の素子が発光して画像が表示される自発光型の表示装置が構築されるものとなっている。ゆえに、有機ＥＬディスプレイは、自発光型のディスプレイであることから視認性が高い等の特徴を有する。
【００２７】
ドライバユニット２は、入力（印加）された第二の電気信号（音声信号）に応じて駆動して表示部１に振動を伝達するアクチュエータであって、上述したように、表示部１において湾曲する方向の一端側１ａ端面に当接して取り付けられたものとなっている。すなわち、ドライバユニット２は、表示部１の端面に対して振動を加え、表示部１が湾曲する面方向に沿うように駆動するように取り付けられている。
【００２８】
ドライバユニット２に対する表示部１の取り付けは、表示部１の端面がドライバユニット２に当接していれば斜めであっても放音されるので問題は無いが、音量の減少を防ぐために表示部１の端面がドライバユニット２に対して略直角に当接することが望ましい。
【００２９】
また、ドライバユニット２によって駆動される面方向とは、表示部１の拡がり方向、すなわち、表示部１の曲面が拡がる一端側１ａから対向する他端側１ｂ（もしくは他端側１ｂから対向する一端側１ａ）へ向かうにしたがって湾曲する方向をいう。この面方向は、上述したように表示部１を平面視して弓形に湾曲するものとなっている。
【００３０】
このようなドライバユニット２としては、たとえば、ムービングコイル方式もしくはムービングマグネット方式の電磁式アクチュエータを挙げることができる。これらのドライバユニット２は、コイルの占積率が高いゆえ、磁気効率が高いものとなっており、音量が高く鮮明な放音が期待できる。
【００３１】
本実施の形態においてドライバユニット２は、ボイスコイルの一端が磁気回路の磁気ギャップ中に配置され、このボイスコイルに電気信号を印加することでボイスコイルを駆動するムービングコイル方式のアクチュエータとすることができる。
ムービングコイル方式のアクチュエータでは、ボイスコイルが、円筒状をしたコイルボビンの外周端部に、所望径のコイル線材を所望のターン数にて巻き付けることにより構成されたものとなっている。
【００３２】
磁気回路は、ボイスコイルを駆動するのに対応した形状になっており、円柱状の永久磁石、この永久磁石を内部に収容する良好な磁性材たる鉄材からなる壺状をしたヨーク（以下、「壺ヨーク」という。）、この壺ヨークに蓋をするように永久磁石の上部に配される、同じく鉄材からなる円板のプレート、等で構成された内磁型磁気回路となっている。
【００３３】
永久磁石としては、ネオジムマグネット、アルニコマグネットやフェライトマグネットを用いることができるが、フェライトマグネットと比較して強い磁場を得ることが出来ることから、ネオジムマグネット、アルニコマグネット等を用いるのが望ましい。
【００３４】
磁気ギャップは、円筒状をしたネオジムマグネットの上面にプレートが配置装着されると共に、ネオジムマグネットの下面より壺ヨークの外周上端部を所定寸法径に切削加工を施したヨーク内径部より形成される。すなわち、プレートの外径は、壺ヨークの内径と芯合わせして装着されるため、壺ヨークの内径面とプレートの外径面との間に、所定幅寸法を有したリング状の隙間、即ちギャップが構成される。
【００３５】
また、磁気ギャップの奥行き方向の寸法は、プレートの厚さ、及び壺ヨークの内径厚さ寸法にて決定される。ゆえに、ネオジムマグネットが有する磁気が、壺ヨーク及びプレートによってギャップに導かれ、収束されるため、該ギャップに磁束が発生し、磁気ギャップが構成されることとなる。そして、この磁気ギャップの中心にボイスコイルが配置される。
【００３６】
なお、ドライバユニット２としては、上述したように内磁型磁気回路を有するアクチュエータに限らず、リング形状のフェライトマグネット等を用いた外磁型磁気回路を有するアクチュエータとしても一向に構わない。
【００３７】
表示部１へのドライバユニット２の取付け手段は、特に限定されるものではなく、任意の手段によって適切に行うことが出来る。ゆえに、たとえば、表示部１における端面側の所定領域において画素表示層を備えていないものとし、この部分を挟持するようにして、ドライバユニット２を取り付けるものとすることが出来る。
【００３８】
このように表示部１の端面側へドライバユニット２を取り付ける手段としては、たとえば、凹部を形成した振動伝達材をボイスコイル（ボビン）に取り付け、この凹部に表示部１の端部が挟み込まれるようにして接合したり、ボイスコイルにスリットを形成し、このスリット内に表示部１の端部が挟み込まれるように係合させて接着剤によって一体的に接合したり、表示部１の端部（接合部）を、接着剤や両面テープによってボイスコイルに接合したりすることが出来る。
【００３９】
また、図３に示すように、ドライバユニット２からの振動を表示部１へ伝達するための結合部材である振動伝達ジョイント５を用いて、表示部１の端面側をドライバユニット２へ取り付けるものとしても良い。
この振動伝達ジョイント５は、保持手段５１と、被着手段５２と、係止手段５３とを備えることにより構成されている。
【００４０】
保持手段５１は、図４に示すように、表示部１の一端に取り付けられる板状部材（以下、「表示部ジョイント」と称する。）であって、表示部１の端部を挟み込む一対の挟持部５１１，５１１と、この挟持部５１１の一部より延設された接続部５１２とを有する。ゆえに、表示部ジョイント５１における挟持部５１１の長さは、表示部１の一端より小さい寸法をしたものとなっている。
【００４１】
挟持部５１１は、表示部１の一面側と他面側の双方向より平面的に挟み込むものであって、表示部１の端部に沿って取り付けられる。また、挟持部５１１は、その長さ方向に沿って表示部１を固定するための複数のネジ孔５１４・・５１４を備えている。
【００４２】
接続部５１２は、挟持部５１１によって挟み込まれる表示部１とは逆側に突出するように凸形に延設され、中央付近に係止手段５３を挿通するための孔部５１３を備えている。この接続部５１２は、少なくとも一対の挟持部５１１，５１１の何れか一方にだけ設けられたものとしても良いが、接続部５１２の基端部（挟持部５１１と境界部分）の強度を考慮すると、それぞれの挟持部５１１に設けられたものとすることが望ましい。
【００４３】
このような表示部ジョイント５１は、たとえば、金属製に比して軽量なバルサ材等の木製、ポリプロピレンやカーボン等の合成樹脂製とし、挟持部５１１と接続部５１２とを一体的に成形することが望ましい。具体的には、たとえば、ベーク板と称されるパルプ、或いは、平織り繊維にフェノール系の樹脂を含浸させてなる板状部材や、ガラエポ板と称される、ガラス繊維にエポキシ樹脂を浸み込ませ熱硬化処理を施した板状部材、等により成形することができる。
【００４４】
図４において表示部ジョイント５１は、挟持部５１１の中央付近下端に接続部５１２が延設された横長縦短のＴ字状をし、挟持部５１１に等間隔で三つのネジ孔５１４を備えると共に、接続部５１２に円形をした孔部５１３を備えたものとして示されている。
【００４５】
被着手段５２は、図５に示すように、ドライバユニット２を構成するボイスコイルボビン２１の頂端部に取り付けられる蓋状部材（以下、「ＶＣジョイント」と称する。）であって、ボイスコイルボビン（の先端側）の頂端部開口を覆う平面部５２１と、この平面部５２１の中央部に表示部ジョイント５１の接続部５１２を挿通可能とする開口部５２２とを有する。
【００４６】
また、平面部５２１は、表示部ジョイント５１の接続部５１２が挿通される側の一面とは反対の他面側に、僅かに径小となる突出部を形成することによって段差部５２３を備えている。この段差部５２３は、平面部５２１をボイスコイルボビンの頂端部に容易に取り付けることを可能とするガイドとして機能し、段差部５２３に接着剤を塗布することによってボイスコイルボビンの頂端部と固着されるものとなる。
ゆえに、ＶＣジョイント５２における平面部５２１の直径は、取り付けるボイスコイルボビンの頂端部外径と略等しく、段差部５２３の直径はボイスコイルボビンの頂端部内径と略等しい（もしくは若干小さい）ものとなっている。
【００４７】
ここで、開口部５２２は、図１０（Ａ）示すように、大きさ及び形状が表示部ジョイント５１の接続部５１２おける基端周縁部と密接する大きさ及び形状であることが望ましい。すなわち、図１０（Ｂ）示すように、開口部５２２の長さ方向の一端側と他端側が丸みを帯びた加工を施されたＶＣジョイント５２Ａとすると、表示部ジョイント５１の接続部５１２を開口部５２２へ挿入した際、一端側と他端側の丸み付近に隙間を生じ、ドライバユニット２からの運動エネルギーが隙間部分によって減衰されたものとなってしまうおそれがある。
【００４８】
しかしながら、表示部ジョイント５１の接続部５１２おける基端周縁部と密接する大きさ及び形状の開口部５２２とすると、ドライバユニット２から伝達された運動エネルギーが隙間部分によって減衰することなく、効率良く表示部１へ振動を伝達することができるものとなる。
【００４９】
このようなＶＣジョイント５２も、表示部ジョイント５１と同様に、金属製に比して軽量な木製や合成樹脂製とすることが望ましく、たとえば、ガラスエポキシ樹脂により成形することができる。
図５において表示部ジョイント５１は、円盤状をした平面部５２１の中央部に細長矩形状をした開口部５２２を有するものとして示されている。
【００５０】
係止手段５３は、図６に示すように、表示部ジョイント５１をＶＣジョイント５２に固定する杆状部材（以下、「ジョイントクサビ」と称する。）であって、表示部ジョイント５１の孔部５１３への挿通が可能な導入領域５３ａと、この孔部５１３への挿通を抑制する係止領域５３ｂとを有する。このジョイントクサビ５３は、径方向へ変形可能な弾性を備えている木質杆や合成樹脂杆を用いると良い。
【００５１】
図６においてジョイントクサビ５３は、一端側から他端側へ向かって徐々に径が大きくなる逆テーパ状をした円柱体として示されている。
具体的には、図４及び図６に示すように、表示部ジョイント５１の孔部５１３の大きさ（直径）をＤ１とすると、ジョイントクサビ５３の一端側の径ｄ１は孔部５１３の直径Ｄ１よりも小さく、他端側の径ｄ２は孔部５１３の直径Ｄ１よりも大きいものとなっている。
【００５２】
このように構成された表示部ジョイント５１は、図７に示すように、まず、表示部ジョイント５１の挟持部５１１によって表示部１の一端側１ａを挟み込んで、ネジ孔５１４へネジを挿入してネジ止めした後、図中の一点鎖線矢印で示すように、ＶＣジョイント５２の開口部５２２へ表示部ジョイント５１の接続部５１２を挿通する。
【００５３】
この際、表示部１の一端側１ａには、挟持部５１１を中央部に取り付けることができるように、挟持部５１１のネジ孔５１４と適合するネジ孔が予め設けられたものとなっている。また、挟持部５１１に表示部１を固定するネジは、金属製に比して軽量な合成樹脂製のものを用いると良い。
【００５４】
次いで、図８に示すように、この接続部５１２に設けられた孔部５１３内へ、ジョイントクサビ５３の小さい径ｄ１をした一端側より導入領域５３ａ部分を挿通することで、ＶＣジョイント５２の平面部５２１の背面側においてジョイントクサビ５３を装着し、表示部ジョイント５１とＶＣジョイント５２とが緩み無き状態となるように固定する。このように簡単に振動伝達ジョイント５を組み立てることが出来る。
この際、ジョイントクサビ５３は少し長尺の杆状体を用い、接続部５１２の孔部５１３内へ挿通した後、余分な部分を切断するものとしても良い。
【００５５】
このように振動伝達ジョイント５は、ＶＣジョイント５２の開口部５２２へ挿通した後の振動板ジョイント５１の接続部５１２に備える孔部５１３へジョイントクサビ５３を装着するものとなっている。ゆえに、振動板ジョイント５１の接続部５１２はＶＣジョイント５２の開口部５２２から抜け落ちることない。
【００５６】
そして、ジョイントクサビ５３と表示部ジョイント５１（接続部５１２）とＶＣジョイント５２（平面部５２１）との結合部分には、必要に応じて接着剤を塗布するものとしても良い。この接着剤としては、たとえば、アクリル系もしくはエポキシ系なる耐熱性接着剤を用いることが望ましい。すなわち、ドライバユニット２のボイスコイルは電流が流れることにより発熱するため、ボイスコイルボビン２１は勿論のこと、表示部ジョイント５１やＶＣジョイント５２、ジョイントクサビ５３も耐熱性に優れた材料を用いることが好ましい。
【００５７】
以上のようにして組み立てられた状態の振動伝達ジョイント５は、図９（Ａ）に示される。そして、図９（Ｂ）において一点鎖線矢印で示すように、ＶＣジョイント５の段差部５２３へ、ドライバユニット２におけるボイスコイルボビン２１の頂端部を接合することで、表示部１の端面をドライバユニット２へ取り付けるものとなっている。
【００５８】
また、表示部１の端面に取り付けられる振動板ジョイント５１の挟持部５１１の基端側と、ボイスコイルボビン２１へ取り付けられるＶＣジョイント５２における平面部５２１の表面とを接続させると共に、ＶＣジョイント５２における平面部５２１の裏面に備える段差部５２３と、ドライバユニット２におけるボイスコイルボビン２１の頂端部とを接続させるものとなっている。ゆえに、ドライバユニット２の駆動に応じて発生する振動を表示部１の端面に伝達することが出来るものとなっている。
【００５９】
また、振動伝達ジョイント５においては、図１１（Ａ）に示すように、表示部ジョイント５１の接続部５１２の基端位置（挟持部５１１と境界部分）５１２ａから孔部５１３の縁５１３ａまでの距離Ｓ１が、図１１（Ｂ）に示すように、ＶＣジョイント５２の平面部５２１の厚みＳ２より小さい（Ｓ１＜Ｓ２）ものとすると望ましい。
【００６０】
これによりジョイントクサビ５３は、ＶＣジョイント５２の平面部５２１の背（裏）面を押し上げるように圧接した状態で表示部ジョイント５１の孔部５１３へ取り付けられるものとなるので、表示部ジョイント５１の挟持部５１１とＶＣジョイント５２の平面部５２１は緩み（隙間）なく強固に接続されるものとなる。
【００６１】
また、図１２に示すように、ジョイントクサビ５３Ａの周面に段差を生じる括れ部５３１を備えたジョイントクサビ５３Ａとしても良い。この括れ部５３１は、表示部ジョイント５１の孔部５１３の径よりも小さく、その両側の段差は表示部ジョイント５１の孔部５１３の径よりも僅かに大きなものとなっている。
【００６２】
このような括れ部５３１を設けることで、段差を乗り越えて括れ部５３１が孔部５１３内へ挿入されたジョイントクサビ５３Ａは、段差がストッパーとして機能して孔部５１３から抜け落ちることが防止され、表示部ジョイント５１（孔部５１３）に強固に装着されるものとなる。
【００６３】
また、振動伝達ジョイント５においては、図１３に示すように、横の径Ｄ１と縦の径Ｄ２とで大きさが異なる形状をした孔部５１３を備える表示部ジョイント５１Ａとしても良い。
図１３において表示部ジョイント５１Ａは、縦の径Ｄ２が横の径Ｄ１より大きい（Ｄ１＜Ｄ２）細長（縦長）楕円形状とした孔部５１３を備えるものとして示されている。
【００６４】
これによりジョイントクサビ５３は、大きい径方向に変形して孔部５１３に取り付けられることとなるので、ＶＣジョイント５２の平面部５２１の背（裏）面を押し上げようとする力が一層強いものとなり、表示部ジョイント５１の挟持部５１１とＶＣジョイント５２の平面部５２１は緩み（隙間）なくより強固に接続されるものとなる。
【００６５】
上述した実施の形態において、表示部ジョイント５１の孔部５１３の形状は円形もしくは楕円形をしたもの、ジョイントクサビ５３は断面が円形である円柱体をしたものを互いに組み合わせて用いるものとして述べられているが、本発明はこれに限定せず他の形状とすることもできる。
【００６６】
具体的には、たとえば、図１４（Ａ）に示すように、高さＴ１をした四角形の孔部５１３を備える表示部ジョイント５１Ｂと、図１４（Ｂ）に示すように、一端側の高さｔ１が孔部５１３の高さＴ１より小さく（ｔ１＜Ｔ１）、他端側の高さｔ２が孔部５１３の高さＴ１より大きい（Ｔ１＜ｔ２）、一端側から他端側へ向かいにしたがって徐々に高くなる逆テーパ面を有する四角柱体のジョイントクサビ５３Ｂとを組み合わせて用いるものとしても良い。
【００６７】
また、振動伝達ジョイント５においては、一対の挟持部５１１と接続部５１２が一体成形された表示部ジョイント５１としても良い。
具体的には、たとえば、図１５（Ａ）に示すように、一対の挟持部５１１が、接続部５１２に設けられた折り返し部５１５を介して一体的に成形された表示部ジョイント５１Ｃとしても良い。この折り返し部５１５は、弾性的に僅かに離反した状態を維持するものとすることが出来る。
また、図１５（Ｂ）に示すように、一対の挟持部５１１が、一つの接続部５１２を介して一体的に成形された、ＶＣジョイント５２との接合部の剛性が一層高くなる表示部ジョイント５１Ｄとしても良い。
【００６８】
このような表示部ジョイント５１Ｃ、５１Ｄとすることにより、効率良く成形することができると共に、挟持部５１１への表示部１の取り付け作業が容易に行えるものとすることができるものなる。
【００６９】
また、振動伝達ジョイント５においては、図１６に示すように、平面部５２１に少なくとも１以上の通気孔５２４を備えるＶＣジョイント５２Ｂとしても良い。
図１６においてＶＣジョイント５２Ｂは、開口部５２２を挟んで対称に一つずつ通気孔５２４，５２４を備えるものとして示されている。
【００７０】
これにより、ＶＣジョイント５２Ｂの平面部５２１によって密閉された、磁気回路内との磁気回路外との空気の流れが自由となり、ドライバユニット２（ボイスコイルボビン２１）の振動に伴って、平面部５２１に対して発生するバックプレッシャーを軽減せしめることができる。その結果、ＶＣジョイント５２Ｂに加わる空気の負荷（抵抗）を軽減し、ドライバユニット２からの振動を効率良く表示部１へ伝達することができるものとなる。
【００７１】
このように表示部１の端面にドライバユニット２が当接して取り付けられた表示装置１０では、ドライバユニット２によって第二の電気信号のエネルギーがマグネット（ポールピース）の往復動としての運動エネルギーに変換され、この運動エネルギーが、ボイスコイルと接続された表示部１の端面に振動を伝達し、表示部１より音声を発生させるものとなっている。
【００７２】
すなわち、ボイスコイルの一端が磁気回路（磁界）の中に収まっており、他端は表示部１に接続されていることから、入力された電気信号がボイスコイルを動かし、その動きが表示部１に伝わって音響エネルギー（音）に変換されるものとなる。
【００７３】
本実施の形態において表示部１は、たとえば、画像を表示する画面が凹面側を向くように配されるものとすると良い。すなわち、有機ＥＬディスプレイにおいて透明基板が凹面側を向いて配されたものとなる。これにより、斜め横方向から画面を見ても、画面全体が見易いものとすることが出来る。
【００７４】
また、本発明においては、図１７に示すように、一端側１ａ近傍と、対向する他端側１ｂ近傍とにそれぞれ曲面領域β，βを有し、当該湾曲領域の間は平坦である形状の表示部１１とし、この表示部１１における一端側１ａの端面にドライバユニット２が取り付けられている表示装置２０とすることが出来る。これにより、表示部１１の湾曲によって厚みが増すことを抑制し、薄厚化を図ることが出来る。
【００７５】
また、本発明においては、図１８に示すように、湾曲する曲面領域を有する表示部１の一端側１ａと他端側１ｂの端面にそれぞれドライバユニット２，２が取り付けられている表示装置３０とすることも出来る。これにより、音圧を高めてより鮮明な音声を発生させることが出来るものとなる。
【００７６】
さらに、本発明においては、図１９に示すように、湾曲する曲面領域を有する表示部１の一端側１ａと他端側１ｂの端面にそれぞれ複数のドライバユニット２・・２が取り付けられている表示装置４０とすることも出来る。これにより、一層音圧を高めてより鮮明な音声を発生させることが出来るものとなる。
【符号の説明】
【００７７】
１，１１  表示部（有機ＥＬディスプレイ）、１ａ  一端側、１ｂ  他端側、２  ドライバユニット、５  振動伝達ジョイント、１０，２０，３０，４０  表示装置、５１  振動板ジョイント（保持手段）、５２  ＶＣジョイント（被着手段）、５３  ジョイントクサビ（係止手段）、５３ａ  導入領域、５３ｂ  係止領域、５１１  挟持部、５１２  接続部、５１３  孔部、５１４  ネジ孔、５１５  折返し部、５２１  平面部、５２２  開口部、５２３  段差部、５２４  通気孔、５３１  括れ部。
【図１】
2020053824.tif 000003
【図２】
2020053824.tif 000004
【図３】
2020053824.tif 000005
【図４】
2020053824.tif 000006
【図５】
2020053824.tif 000007
【図６】
2020053824.tif 000008
【図７】
2020053824.tif 000009
【図８】
2020053824.tif 000010
【図９】
2020053824.tif 000011
【図１０】
2020053824.tif 000012
【図１１】
2020053824.tif 000013
【図１２】
2020053824.tif 000014
【図１３】
2020053824.tif 000015
【図１４】
2020053824.tif 000016
【図１５】
2020053824.tif 000017
【図１６】
2020053824.tif 000018
【図１７】
2020053824.tif 000019
【図１８】
2020053824.tif 000020
【図１９】
2020053824.tif 000021